(57)【要約】【課題】テレビ放送受信装置において、テレビ放送信号の受信状態により正常に録画を行うことができない可能性がある場合、その旨を録画が開始される前にユーザーに知らせることができることを目的とする。【解決手段】テレビ放送受信装置１は、テレビ放送信号を受信する視聴用の第１チューナ部２ａ及び録画用の第２チューナ部２ｂと、第２チューナ部２ｂが受信したテレビ放送信号の劣化を検出する劣化検出部としてのＣ／Ｎ検出部４と、Ｃ／Ｎ検出部４による検出劣化と予め設定された基準とを比較する比較部８と、比較部８による比較結果において検出劣化が基準よりも悪い場合に画像エラーメッセージを作成するエラー画像信号発生部９と、エラー画像信号発生部９が作成した画像エラーメッセージを第１チューナ部２ａが受信したテレビ放送信号によるライブ画像に重畳して表示画面上に出力させる画像出力処理部１０とを備えている。【選択図】図１
2013162371.tif 000002
【特許請求の範囲】
【請求項１】
テレビ放送信号を受信する視聴用の第１チューナ部及び録画用の第２チューナ部と、
前記第２チューナ部が受信した前記テレビ放送信号の劣化を検出する劣化検出部と、
前記劣化検出部による検出劣化と予め設定された基準とを比較する比較部と、
前記比較部による比較結果において、前記検出劣化が前記基準よりも悪い場合に画像エラーメッセージを作成するエラー画像信号発生部と、
前記エラー画像信号発生部が作成した前記画像エラーメッセージを、前記第１チューナ部が受信した前記テレビ放送信号によるライブ画像に重畳して表示画面上に出力させる画像出力処理部とを備える、テレビ放送受信装置。
【請求項２】
前記劣化検出部は、前記第２チューナ部が受信した前記テレビ放送信号のＣ／Ｎ比を検出することにより前記第２チューナ部が受信した前記テレビ放送信号の劣化を検出する、請求項１に記載のテレビ放送受信装置。
【請求項３】
前記劣化検出部は、前記第２チューナ部が受信した前記テレビ放送信号の電界強度を検出することにより前記第２チューナ部が受信した前記テレビ放送信号の劣化を検出する、請求項１に記載のテレビ放送受信装置。
【請求項４】
前記劣化検出部は、前記第２チューナ部が受信した前記テレビ放送信号に含まれる遅延波の遅延時間を検出することにより前記第２チューナ部が受信した前記テレビ放送信号の劣化を検出する、請求項１に記載のテレビ放送受信装置。
【請求項５】
前記比較結果において前記検出劣化が前記基準よりも悪い場合に音声エラーメッセージを作成するエラー音声信号発生部と、前記エラー音声信号発生部が作成した前記音声エラーメッセージを、前記第１チューナ部が受信した前記テレビ放送信号によるライブ音声に混合してスピーカーに出力させる音声出力処理部とをさらに備える、請求項１〜４のいずれか１つに記載のテレビ放送受信装置。
【請求項６】
前記比較結果において前記検出劣化が前記基準よりも悪い場合に光を発光する発光部をさらに備える、請求項１〜４のいずれか１つに記載のテレビ放送受信装置。
【発明の詳細な説明】
【技術分野】
【０００１】
本発明は、複数のチューナを有する録画機能付きテレビ放送受信装置に関する。
【背景技術】
【０００２】
近年、録画機能を内蔵したテレビ放送受信装置が知られており、簡単に録画を設定することができるようになっている。このように、視聴中の番組を録画し、後に再生する。また、視聴したい番組が同時刻に２つ以上ある時、１つを視聴、もう一方を録画する録画予約を設定し、都合の良い時間に再生するなど録画機能の使い方は様々である。このとき、録画機能を使用するユーザーは綺麗に録画されていることを期待して録画を指示する。しかしながら、何らかの原因で録画した画像に不具合が生じることもあり、ユーザーがそのことに気付くのは録画が終了し、録画した画像を再生したときである。
【０００３】
従来の衛星放送用テレビジョンチューナは、入力信号レベルが低下し映像受信品質が劣化していることをＣ／Ｎ比とＡＧＣレベル電圧から検知し、「現在信号レベルが低下しています」というテロップ信号をテロップ発生回路が送出し、画面上に表示させる(例えば特許文献１参照)。
【０００４】
また、従来の衛星放送受信用チューナ搭載テレビは、アンテナ入力のＣ／Ｎ比を検出する回路で検出したＣ／Ｎ比とチューナ部出力信号の映像信号判別回路の信号判別回路出力から受信状態の悪化が電波状態の異常によるのか、チューナ部の動作異常によるのかを画面にコメント表示させる(例えば特許文献２参照)。
【０００５】
さらに、従来の複数チューナを搭載したデジタル放送受信装置は、チューナ特性比較部でそれぞれのチューナから出力される信号の品質比較を行い、出力信号の品質が閾値を下回るチューナがある場合はすべてのチューナからの出力を停止させる。または、出力信号の品質が閾値を下回るチューナがある場合は品質が最悪のチューナからの出力経路に切り替える(例えば特許文献３参照)。
【先行技術文献】
【特許文献】
【０００６】
【特許文献１】特開昭６３−２００６８９号公報
【特許文献２】実開平３−８６６８３号公報
【特許文献３】特開２００６−３３３２８５号公報
【発明の概要】
【発明が解決しようとする課題】
【０００７】
視聴と録画を同時に行える従来のテレビ放送受信装置の場合、少なくとも２つのチューナが搭載され、これらのチューナは視聴と録画の制御を異なるように設計され、視聴用と録画用に機能分けされている。この視聴用チューナはユーザーがテレビ番組を視聴するために使用されるもので、ユーザーは番組の放送と同時進行的に画像と音声を見聴きしている。一方、録画用のチューナは番組を録画するために使用されるもので、ユーザーが番組の放送と同時進行的に画像と音声を見聴きすることはできないため、録画用のチューナで録画している画像の品質を録画中に知ることができない。
【０００８】
そのため、視聴用のチューナと録画用のチューナとの間に性能差があり、テレビ電波の発信局から離れた地域において低品質のテレビ放送波を受信した場合、特に録画用のチューナが低品質のテレビ放送波に対応しきれないと、視聴中の画像と音声には何も問題がなくても、録画した画像と音声を再生するとノイズが混じるなど正常に再生できないという問題が生じ、ユーザーにとっては極めて不利益を被ることになる。
【０００９】
また、ユーザーから製品の故障を疑われ、製品の品質管理に不信感を抱かれてマイナスのイメージを与えることになる。
【００１０】
さらに、受信環境の修正によってノイズが改善される可能性があっても、ユーザーに原因が通知されなければノイズの混じる地域に住んでいるのだと諦めてしまう場合もあり、適切な改善の機会を奪ってしまう。最近は放送された番組を有料で視聴することも可能になってきており、録画失敗による番組コンテンツの購入という出費を発生させることは避けなければならない。
【００１１】
本発明は上記のような問題点を解消するためになされたもので、テレビ放送受信装置において、テレビ放送信号の受信状態により正常に録画を行うことができない可能性がある場合、その旨を録画が開始される前にユーザーに知らせることができることを目的とする。
【課題を解決するための手段】
【００１２】
本発明に係るテレビ放送受信装置は、テレビ放送信号を受信する視聴用の第１チューナ部及び録画用の第２チューナ部と、前記第２チューナ部が受信した前記テレビ放送信号の劣化を検出する劣化検出部と、前記劣化検出部による検出劣化と予め設定された基準とを比較する比較部と、前記比較部による比較結果において、前記検出劣化が前記基準よりも悪い場合に画像エラーメッセージを作成するエラー画像信号発生部と、前記エラー画像信号発生部が作成した前記画像エラーメッセージを、前記第１チューナ部が受信した前記テレビ放送信号によるライブ画像に重畳して表示画面上に出力させる画像出力処理部とを備えるものである。
【発明の効果】
【００１３】
本発明によれば、劣化検出部による検出劣化が予め設定された基準よりも悪い場合に、第１チューナ部が受信したテレビ放送信号によるライブ画像に重畳して、画像エラーメッセージを表示画面上に出力させるため、録画を正常に行うことができない可能性があることを、録画が開始される前にユーザーに事前に知らせることができる。これを受けてユーザーは、録画を行うか、または録画を中止するかを決定することができる。
【図面の簡単な説明】
【００１４】
【図１】実施の形態１に係るテレビ放送受信装置の構成を示すブロック図である。
【図２】実施の形態２に係るテレビ放送受信装置の構成を示すブロック図である。
【図３】実施の形態３に係るテレビ放送受信装置の構成を示すブロック図である。
【図４】実施の形態４に係るテレビ放送受信装置の構成を示すブロック図である。
【図５】実施の形態５に係るテレビ放送受信装置の構成を示すブロック図である。
【発明を実施するための形態】
【００１５】
＜実施の形態１＞
図１は、本発明の実施の形態１に係るテレビ放送受信装置１の構成を示すブロック図である。テレビ放送受信装置１は、視聴用の第１チューナ部２ａと、録画用の第２チューナ部２ｂと、第１復調部３ａと、第２復調部３ｂと、Ｃ／Ｎ検出部４（劣化検出部）と、制御部５（例えばＣＰＵ）と、画像出力処理部１０と、ディスプレイ１１と、記録部１２（例えばＨＤＤ、ＢＤ、ＤＶＤ）とを備えている。制御部５は、画像処理部６と、記録処理部７と、比較部８と、エラー画像信号発生部９とを備えている。なお、本実施の形態では簡単のために視聴用と録画用各１つの２系統のチューナ部を備えている。
【００１６】
第１チューナ部２ａは、入力端子１８を介して受信した複数チャンネルのテレビ放送信号の中から、ユーザーが視聴のために選局した視聴用特定チャンネルのテレビ放送信号を第１復調部３ａに出力する。第２チューナ部２ｂは、入力端子１８を介して受信した複数チャンネルのテレビ放送信号の中から、ユーザーが録画のために選局した録画用特定チャンネルのテレビ放送信号を第２復調部３ｂ及びＣ／Ｎ検出部４に出力する。第１復調部３ａは、第１チューナ部２ａが出力したテレビ放送信号を復調し、復調した画像信号を画像処理部６に出力する。第２復調部３ｂは、第２チューナ部２ｂが出力したテレビ放送信号を復調し、復調した画像信号を記録処理部７に出力する。Ｃ／Ｎ検出部４は、第２チューナ部２ｂが受信した録画用特定チャンネルのテレビ放送信号のキャリアとノイズの比であるＣ／Ｎ比を検出することにより、第２チューナ部２ｂが受信した録画用特定チャンネルのテレビ放送信号の劣化を検出する。
【００１７】
画像処理部６は、第１復調部３ａが復調した画像信号についてデコード及び信号処理を行い、処理を行った画像信号を画像出力処理部１０に出力する。記録処理部７は、第２復調部３ｂが出力した画像信号を記録部１２で記録できるように信号処理を行い、処理を行った画像信号を記録部１２に出力する。比較部８は、Ｃ／Ｎ検出部４が出力した検出劣化であるＣ／Ｎ比を予め設定された基準である閾値と比較し、Ｃ／Ｎ比が閾値よりも小さい場合（検出劣化が基準よりも悪い場合）に画像エラーメッセージを作成する旨の指令をエラー画像信号発生部９に出力する。
【００１８】
エラー画像信号発生部９は、比較部８が出力した指令を受信し、指令に基づいて画像エラーメッセージを作成し、作成した画像エラーメッセージを画像出力処理部１０に出力する。画像出力処理部１０は、第１チューナ部２ａが受信した視聴用特定チャンネルのテレビ放送信号による生放送画像であるライブ画像と、エラー画像信号発生部９が出力した画像エラーメッセージとを重畳してディスプレイ１１上に出力させる処理を行う。ディスプレイ１１は、画像出力処理部１０が処理を行った画像信号を表示する。記録部１２は、記録処理部７が出力した画像信号を記録する。
【００１９】
次に、図１を用いて、電波状況が整っている状態での放送番組の視聴を行う際のテレビ放送受信装置１の動作について説明する。第１チューナ部２ａは、外部のアンテナ（図示省略）が取り込んだ複数チャンネルのテレビ放送信号を、入力端子１８を介して入力し、入力された複数チャンネルのテレビ放送信号の中から視聴用特定チャンネルのテレビ放送信号を取り出して第１復調部３ａに出力する。第１復調部３ａは、入力されたテレビ放送信号を復調し、復調した画像信号を画像処理部６に出力する。
【００２０】
画像処理部６は、入力された画像信号についてデコード及び信号処理を行い、処理を行った画像信号を画像出力処理部１０に出力する。画像出力処理部１０は、入力された画像信号をディスプレイ１１で画面表示できるように画像信号の出力処理を行い、処理を行った画像信号をディスプレイ１１に出力する。ディスプレイ１１は、入力された画像信号に基づき視聴用特定チャンネルの画像、即ち、ライブ画像を表示する。
【００２１】
次に、上記の場合と同様に図１を用いて、電波状況が整っている状態での放送番組の録画を行う際のテレビ放送受信装置１の動作について説明する。第２チューナ部２ｂは、外部のアンテナが取り込んだ複数チャンネルのテレビ放送信号を、入力端子１８を介して入力し、入力された複数チャンネルのテレビ放送信号の中から録画用特定チャンネルのテレビ放送信号を取り出して、第２復調部３ｂ及びＣ／Ｎ検出部４に出力する。第２復調部３ｂは、入力されたテレビ放送信号を復調し、復調した画像信号を記録処理部７に出力する。Ｃ／Ｎ検出部４は、入力された録画用特定チャンネルのＣ／Ｎ比を検出し、Ｃ／Ｎ比を比較部８に出力する。
【００２２】
比較部８は、入力されたＣ／Ｎ比と、予め設定された閾値と比較する。今は電波状況が整っており、検出劣化が予め設定された基準を満たしている、即ち、Ｃ／Ｎ比は閾値以上の値であるので、比較部８は何も出力をせず、エラー画像信号発生部９も動作しない。記録処理部７は、第２復調部３ｂが入力した画像信号を記録するための信号処理を行い、処理を行った画像信号を記録部１２に出力し、記録部１２は入力された画像信号を記録する。
【００２３】
次に、電波状況が悪い環境で、第１チューナ部２ａでは正常に視聴できていても、第２チューナ部２ｂでは正常に録画ができない状況で、ユーザーが放送番組の録画を開始した際のテレビ放送受信装置１の動作について説明する。第１チューナ部２ａは、外部のアンテナが取り込んだ複数チャンネルのテレビ放送信号を、入力端子１８を介して入力し、その中からユーザーが視聴用に選局した特定チャンネルのテレビ放送信号を取り出して、第１復調部３ａに出力する。一方、第２チューナ部２ｂも外部のアンテナが取り込んだ複数チャンネルのテレビ放送信号を、入力端子１８を介して入力し、その中からユーザーが録画用に選局した特定チャンネルのテレビ放送信号を取り出して、第２復調部３ｂとＣ／Ｎ検出部４に出力する。
【００２４】
第１復調部３ａは、入力されたテレビ放送信号を復調し、復調した画像信号を画像処理部６に出力し、画像処理部６は入力された画像信号についてデコード及び信号処理を行い、処理を行った画像信号を画像出力処理部１０に出力する。第２復調部３ｂは入力されたテレビ放送信号を復調し、復調した画像信号を記録処理部７に出力し、記録処理部７は、第２復調部３ｂが入力した画像信号を記録するための信号処理を行う。
【００２５】
Ｃ／Ｎ検出部４は、入力された録画用特定チャンネルのテレビ放送信号のＣ／Ｎ比を検出し、Ｃ／Ｎ比を比較部８に出力し、比較部８は入力されたＣ／Ｎ比と閾値とを比較する。今は電波状況が悪い環境であり、検出劣化が予め設定された基準よりも悪い、即ち、Ｃ／Ｎ比が閾値よりも小さいので、比較部８はエラー画像信号発生部９に画像エラーメッセージを作成する旨の指令を送る。エラー画像信号発生部９は比較部８から指令を受け取ると、例えば「録画が正常に行われない可能性があります。」などの画像エラーメッセージを作成し、作成した画像エラーメッセージを画像出力処理部１０に出力する。
【００２６】
画像出力処理部１０は、画像処理部６から視聴用の画像信号が入力されるとともに、エラー画像信号発生部９から画像エラーメッセージが入力され、ディスプレイ１１上で画像エラーメッセージがライブ画像に重畳するようにミックス処理し、処理を行った画像信号をディスプレイ１１に出力する。ディスプレイ１１は、入力された画像信号に基づきライブ画像に画像エラーメッセージを重畳して出力する。
【００２７】
以上のように、実施の形態１に係るテレビ放送受信装置１では、録画用特定チャンネルのテレビ放送信号のＣ／Ｎ比と、予め設定された閾値とを比較し、Ｃ／Ｎ比が閾値よりも小さい場合に、ライブ画像に重畳して画像エラーメッセージをディスプレイ１１上に出力させる。これにより、電波状況が悪い環境であることから、視聴に関しては問題ないが、録画を正常に行うことができない可能性のあるテレビ放送信号を受信している場合、録画を正常に行うことができない可能性があることを、録画が開始される前にユーザーに事前に知らせることができる。これを受けてユーザーは、録画を行うか、または録画を中止するかを決定することができる。また、録画した画像を再生して初めて録画が正常に行われていないことを知るという不都合についても防止できる。
【００２８】
＜実施の形態２＞
図２は、本発明の実施の形態２に係るテレビ放送受信装置１Ａの構成を示すブロック図である。実施の形態２に係るテレビ放送受信装置１Ａは、実施の形態１に係るテレビ放送受信装置１におけるＣ／Ｎ検出部４の代わりに、劣化検出部としての電界強度検出部１３を備える。電界強度検出部１３は、入力された録画用特定チャンネルのテレビ放送信号の電界強度を検出する。なお、図２において図１と同一符号のものは実施の形態１と同一または相当部分を示すものであり説明は省略する。
【００２９】
電波状況が悪い環境で、第１チューナ部２ａでは正常に視聴できていても、第２チューナ部２ｂでは正常に録画ができない状況で、ユーザーが放送番組の録画を開始した際のテレビ放送受信装置１Ａの動作について説明する。
【００３０】
本実施の形態において、電界強度検出部１３は、入力された録画用特定チャンネルのテレビ放送信号の電界強度を検出し、検出した電界強度を比較部８に出力する。比較部８は、検出劣化である電界強度と、予め設定された基準である閾値とを比較する。今は電波状況が悪い環境であり、検出劣化が予め設定された基準よりも悪い、即ち、電界強度が閾値よりも小さいので、比較部８は、エラー画像信号発生部９に画像エラーメッセージを作成する旨の指令を送る。エラー画像信号発生部９は比較部８から指令を受け取ると、例えば「録画が正常に行われない可能性があります。」などの画像エラーメッセージを作成し、画像出力処理部１０に出力する。
【００３１】
画像出力処理部１０は、画像処理部６から視聴用の画像信号が入力されるとともに、エラー画像信号発生部９から画像エラーメッセージが入力され、ディスプレイ１１上で画像エラーメッセージがライブ画像に重畳するようにミックス処理し、処理を行った画像信号をディスプレイ１１に出力する。ディスプレイ１１は、入力された画像信号に基づきライブ画像に画像エラーメッセージを重畳して出力する。
【００３２】
以上のように、実施の形態２に係るテレビ放送受信装置１Ａでは、録画用特定チャンネルのテレビ放送信号の電界強度と、予め設定された閾値とを比較し、電界強度が閾値よりも小さい場合に、ライブ画像に重畳して画像エラーメッセージをディスプレイ１１上に出力させる。これにより、録画用特定チャンネルの電界強度が弱く閾値よりも小さい場合、実施の形態１と同様に録画が開始される前に正常に録画ができない可能性があることをユーザーに通知することができるという効果が得られる。
【００３３】
また、家庭内でアンテナ分配するなどにより電界強度が弱くなって、第２チューナ部２ｂで録画用特定チャンネルのテレビ放送信号を正常に受信できない場合は、エラー画像信号発生部９が作成する画像エラーメッセージの内容を、例えば「放送電波が弱いため正常に録画ができない可能性があります」とすると、ブースターを設置するなど受信環境を整える方法をユーザーに知らせることができる。
【００３４】
＜実施の形態３＞
図３は、本発明の実施の形態３に係るテレビ放送受信装置１Ｂの構成を示すブロック図である。実施の形態３に係るテレビ放送受信装置１Ｂは、実施の形態１に係るテレビ放送受信装置１におけるＣ／Ｎ検出部４の代わりに、劣化検出部としての遅延検出部１４を備える。遅延検出部１４は、テレビ放送信号が山及び建物などに反射、屈折し、発信局から直接届く本来のテレビ放送信号よりも遅れて到着することで、本来のテレビ放送信号を妨害するマルチパスの影響を検出する。なお、山及び建物などに反射、屈折することで遅れて到着するテレビ放送信号を、以下、遅延波と称する。また、図３において図１と同一符号のものは実施の形態１と同一または相当部分を示すものであり説明は省略する。
【００３５】
電波状況が悪い環境で、第１チューナ部２ａでは正常に視聴できていても、第２チューナ部２ｂでは正常に録画ができない状況で、ユーザーが放送番組の録画を行おうとした際のテレビ放送受信装置１Ｂの動作について説明する。
【００３６】
本実施の形態において、遅延検出部１４は、発信局から直接届く本来のテレビ放送信号を受信してから遅延波を受信するまでの遅延時間を検出し、検出した遅延時間を比較部８に出力する。比較部８は、検出劣化である遅延時間と、予め設定された基準である閾値と比較する。
【００３７】
今は電波状況が悪い環境であり、検出劣化が予め設定された基準よりも悪い、即ち、遅延時間が閾値よりも大きいので、比較部８は、エラー画像信号発生部９に画像エラーメッセージを作成する旨の指令を送る。エラー画像信号発生部９は比較部８から指令を受け取ると、例えば「録画が正常に行われない可能性があります。」などの画像エラーメッセージを作成し、画像出力処理部１０に出力する。
【００３８】
画像出力処理部１０は、視聴用の画像信号が画像処理部６から入力されるとともに、エラー画像信号発生部９から画像エラーメッセージが入力され、ディスプレイ１１上で画像エラーメッセージがライブ画像に重畳するようにミックス処理し、処理を行った画像信号をディスプレイ１１に出力する。ディスプレイ１１は、入力された画像信号に基づきライブ画像に画像エラーメッセージを重畳して出力する。
【００３９】
以上のように、実施の形態３に係るテレビ放送受信装置１Ｂでは、録画用特定チャンネルのテレビ放送信号に含まれる遅延波の遅延時間と、予め設定された閾値とを比較し、遅延波の遅延時間が閾値よりも大きい場合に、ライブ画像に重畳して画像エラーメッセージをディスプレイ１１上に出力させる。これにより、録画用特定チャンネルのテレビ放送信号がマルチパスの影響を受け、遅延波が発信局から直接届く本来のテレビ放送信号を妨害し、受信状況に影響を与えることを検出することができる。また、実施の形態１，２と同様に、録画を開始する前に正常に録画を行うことができない可能性があることをユーザーに通知することができる。
【００４０】
さらに、マルチパスの影響により正常に録画ができないことを画面エラーメッセージに含めると、機器の不良ではなく、受信環境の影響による問題であることをユーザーに知らせることができる。
【００４１】
＜実施の形態４＞
図４は、本発明の実施の形態４に係るテレビ放送受信装置１Ｃの構成を示すブロック図である。実施の形態４に係るテレビ放送受信装置１Ｃは、実施の形態１に係るテレビ放送受信装置１に対して音声でのエラー通知を追加した態様である。テレビ放送受信装置１Ｃにおいては、テレビ放送受信装置１に対して制御部５の代わりに制御部５Ｃを備え、また、音声出力処理部１９と、スピーカー１６とが追加されている。制御部５Ｃは、制御部５に対して、音声処理部１５とエラー音声信号発生部２０が追加されている。なお、図４において図１と同一符号のものは実施の形態１と同一または相当部分を示すものであり説明は省略する。
【００４２】
電波状況が悪い環境で、第１チューナ部２ａでは正常に視聴できていても、第２チューナ部２ｂでは正常に録画ができない状況で、ユーザーが放送番組の録画を行おうとした際のテレビ放送受信装置１Ｃの動作について説明する。
【００４３】
第１チューナ部２ａは、外部のアンテナが取り込んだ複数チャンネルのテレビ放送信号を、入力端子１８を介して入力し、入力された複数チャンネルのテレビ放送信号の中から視聴用特定チャンネルのテレビ放送信号を取り出して、第１復調部３ａに出力する。一方、第２チューナ部２ｂも、外部のアンテナが取り込んだ複数チャンネルのテレビ放送信号を、入力端子１８を介して入力し、入力された複数チャンネルのテレビ放送信号の中から録画用特定チャンネルのテレビ放送信号を取り出して、第２復調部３ｂ及びＣ／Ｎ検出部４に出力する。
【００４４】
第１復調部３ａは、入力されたテレビ放送信号を復調し画像処理部６及び音声処理部１５に出力する。画像処理部６は、入力された画像信号についてデコード及び信号処理を行い、処理を行った画像信号を画像出力処理部１０に出力する。音声処理部１５は、入力された音声信号についてデコード及び信号処理を行い、処理を行った音声信号を音声出力処理部１９に出力する。比較部８は、Ｃ／Ｎ検出部４から入力されたＣ／Ｎ比と閾値とを比較し、今は電波状況が悪い環境であり、検出劣化が予め設定された基準よりも悪い、即ち、Ｃ／Ｎ比が閾値よりも小さいので、エラー画像信号発生部９に画像エラーメッセージを作成する旨の指令を送るとともに、エラー音声信号発生部２０に音声エラーメッセージを作成する旨の指令を送る。
【００４５】
エラー画像信号発生部９は指令を受け取ると、例えば「録画が正常に行われない可能性があります。」などの画像エラーメッセージを作成し、作成した画像エラーメッセージを画像出力処理部１０に出力する。エラー音声信号発生部２０は指令を受け取ると、例えば「録画が正常に行われない可能性があります。」などの音声エラーメッセージを作成し、作成した音声エラーメッセージを音声出力処理部１９に出力する。
【００４６】
音声出力処理部１９は、視聴用の音声信号が音声処理部１５から入力され、エラー音声信号発生部２０から音声エラーメッセージが入力され、音声エラーメッセージが生放送音声であるライブ音声に混合するように処理を行い、処理を行った音声信号をスピーカー１６に出力する。スピーカー１６は、入力された音声信号に基づきライブ音声に音声エラーメッセージを混合して出力する。
【００４７】
以上のように、実施の形態４に係るテレビ放送受信装置１Ｃでは、録画用特定チャンネルのテレビ放送信号のＣ／Ｎ比と、予め設定された閾値とを比較し、Ｃ／Ｎ比が閾値よりも小さい場合に、ライブ音声に混合して音声エラーメッセージをスピーカー１６に出力させる。これにより、放送電波においてノイズの比率が多いため、正常に録画ができないことをユーザーに聴覚的に知らせることができ、視覚障害者や年配のユーザーにも簡単に通知することが可能になる。
【００４８】
＜実施の形態５＞
図５は、本発明の実施の形態５に係るテレビ放送受信装置１Ｄの構成を示すブロック図である。実施の形態５に係るテレビ放送受信装置１Ｄは、実施の形態１に係るテレビ放送受信装置１に対して発光部１７を備え、発光部１７はエラー画像信号発生部９によって駆動される。なお、図５において図１と同一符号のものは実施の形態１と同一または相当部分を示すものであり説明は省略する。
【００４９】
電波状況が悪い環境で、第１チューナ部２ａでは正常に視聴できていても、第２チューナ部２ｂでは正常に録画ができない状況で、ユーザーが放送番組の録画を行おうとした際のテレビ放送受信装置１Ｄの動作について説明する。前記実施の形態１と同様に、今は電波状況が悪い環境であり、検出劣化が予め設定された基準よりも悪い、即ち、録画用特定チャンネルのテレビ放送信号のＣ／Ｎ比が閾値よりも小さいので、エラー画像信号発生部９は画像エラーメッセージを作成し、作成した画像エラーメッセージを画像出力処理部１０に出力するとともに、発光部１７に電流を供給することで発光部１７を発光させる。
【００５０】
以上のように、実施の形態５に係るテレビ放送受信装置１Ｄでは、録画用特定チャンネルのテレビ放送信号のＣ／Ｎ比と、予め設定された閾値とを比較し、Ｃ／Ｎ比が閾値よりも小さい場合に、発光部１７を発光させる。これにより、録画を行おうとした際にディスプレイ１１の表示画面を消してしまったとしても、正常に録画ができないことをユーザーに知らせることができる。
【００５１】
前記実施の形態では、視聴中の番組と同じ番組を録画する状況でのテレビ放送受信装置の動作説明を行ったが、裏番組録画やタイマー録画においても同様の効果を得ることができ、さらに、録画を行おうとした時だけでなく、常に信号劣化を検出することで、時間経過とともに変化する不安定な電波環境にも対応して、ユーザーに情報を通知することができる。
【００５２】
また、Ｃ／Ｎ検出と電界強度検出と遅延時間検出は組み合わせて使用してもよく、さまざまな周辺環境や視聴状況においても同様の効果が得られる。
【００５３】
さらに、前記実施の形態では、録画用のチューナ部が１つの場合について説明したが、録画用のチューナ部が２つ以上の場合も同様の回路構成にて同等の効果を得られることは言うまでもない。
【００５４】
なお、本発明は、その発明の範囲内において、各実施の形態を自由に組み合わせたり、各実施の形態を適宜、変形、省略することが可能である。
【符号の説明】
【００５５】
１，１Ａ，１Ｂ，１Ｃ，１Ｄ  テレビ放送受信装置、２ａ  第１チューナ部、２ｂ  第２チューナ部、４  Ｃ／Ｎ検出部、８  比較部、９  エラー画像信号発生部、１０  画像出力処理部、１３  電界強度検出部、１４  遅延検出部、１７  発光部、１９  音声出力処理部、２０  エラー音声信号発生部。
【図１】
2013162371.tif 000003
【図２】
2013162371.tif 000004
【図３】
2013162371.tif 000005
【図４】
2013162371.tif 000006
【図５】
2013162371.tif 000007